(57)【要約】【課題】    本発明の課題は、カップ内の茶こしの占める割合をできる限り小さくするとともに、熱湯を入れた場合であっても、やけどしにくい容器に使用する蓋を提供することである。また、内容量を変更した場合であってもその蓋体を変更することなくその蓋を使用した飲用容器を提供することである。【解決手段】本発明は、茶類を提供するための飲用容器用蓋体であって、前記蓋体の縁に環状の第１上方突出部を設け、前記第１上方突出部の裏側に２重のカップとそれぞれ嵌合することのできる第１嵌合部及び第２嵌合部を設け、前記第１上方突出部の内方に第２上方突出部を設け当該第２上方突出部の一部を下方突出部とし、前記下方突出部に少なくとも１つ以上の飲用孔を設けたことを特徴とする飲用容器用蓋体。【選択図】          図１
2015058950.tif 000002
【特許請求の範囲】
【請求項１】
茶類を提供するための飲用容器用蓋体であって、前記蓋体の縁に環状の第１上方突出部を設け、前記第１上方突出部の裏側に２重のカップとそれぞれ嵌合することのできる第１嵌合部及び第２嵌合部を設け、前記第１上方突出部の内方に第２上方突出部を設け当該第２上方突出部の一部を下方突出部とし、前記下方突出部に少なくとも１つ以上の飲用孔を設けたことを特徴とする飲用容器用蓋体。
【請求項２】
茶類を提供するための飲用容器用蓋体であって、前記第２上方突出部は環状であり、その内側に中央凹部を設けたことを特徴とする請求項１記載の前記飲用容器用蓋体。
【請求項３】
茶類を提供するための飲用容器用蓋体であって、前記飲用孔の径をおよそ２ミリメートルとしたことを特徴とする請求項１または２記載の飲用容器用蓋体。
【請求項４】
請求項１〜３いずれか１項記載の蓋体に、２重のカップにおける第１のカップと第２のカップを取り付けた飲用容器であって、第１のカップと第２のカップはそれぞれ開口部と容器部と底部からなり前記第１のカップにおける容器部を内側に、前記第２のカップにおける容器部を外側にして重ね合わせ、前記第１嵌合部に前記第１のカップの開口部を、第２嵌合部に前記第２のカップの開口部をそれぞれ嵌合したことを特徴とする飲用容器。
【請求項５】
第１のカップと第２のカップの開口部の口径を同一としたことを特徴とする請求項４記載の飲用容器。
【発明の詳細な説明】
【技術分野】
【０００１】
本発明は、カップに蓋体をつけた飲用容器及びその蓋体に関するものである。
【背景技術】
【０００２】
テイクアウト用に提供される冷たい飲料や暖かい飲料は、カップに蓋体をつけた飲用容器に入れられて販売されている。これは、歩きながら飲む場合に中身がこぼれにくいことから好ましいものである。このうち冷たい飲料は蓋体のついている容器にストローを差し込んで飲用することができるが、熱い飲料例えばコーヒー、紅茶あるいは緑茶などの茶等はストローを使用しないで飲用している。
【０００３】
すなわち、ストローでは熱い茶等を飲用するのは適していない。従って、この場合は蓋体を外して飲用していたが、歩きながらの飲用では中身をこぼしてしまう問題があった。
【０００４】
一方で、テイクアウト用に提供される茶等は、たとえば、ティーバッグを使用してお茶を販売する場合がある。しかしながら風味といった点で茶葉をそのまま使用した場合に比べて劣るというのは否めない。また、ティーバッグでは店独自で茶葉のブレンドができないといった問題がある。この場合茶漉しで漉すということもできるが、茶漉しでは、茶葉が十分に広がらず、風味の点で十分とは言い難いものである。
【０００５】
特に紅茶の場合、紅茶ショップと呼ばれる店では、家庭用のティーパックでは出せない紅茶を提供するために様々な工夫を講じている。例えば、茶葉を産地あるいは季節等に応じて厳選し、カップに適量のその厳選した茶葉を入れ、その後、汲み置きでない新鮮な水を沸かし、その熱湯を注ぎいれ、茶葉が広がってカップ内を漂うようにし、茶葉の成分を抽出する。このようにお茶を入れる等の手段を講じているのである。尚、茶葉が広がる様子やその拡がった茶葉が湯の中を漂う様子は癒しを与える場合がある。
【０００６】
従って、上記のように入れれば、おいしいお茶を入れることができるが、茶葉が口の中に入る場合があり飲みにくいものとなる。これを解決するものとして、特開２００７−５０１８２号公報において、上側に開口縁を有する茶液飲用のカップと、漉し網と、蓋とから成り、上記漉し網の胴部は、筒状でかつその胴部の外形は、上記カップの開口部からカップ内に挿入した状態で上記のカップの内周面と胴部外周面との間に僅かな間隙が残る程度の外径に形成してあると共に、上記胴部における下側には、網体が張設してあり、しかも上記胴部における上部の周囲には上記カップにおける開口縁に乗載できるようにした鍔を張出状に形成してあり、一方、上記蓋は、上記漉し網の胴部における上部の開口部を塞ぎかつ外周部が上記の鍔の上に乗載可能な大きさにしてある漉し網内蔵の蓋付きカップにおいて、上記漉し網上部の鍔における上面に対しては、放射方向に向けて、上記鍔における上面に蓋の内面を被せ着けた状態で、漉し網胴部の内部の空気と、カップの外部とを連通させる為の潜り抜け溝を凹設したことを特徴とする漉し網内蔵の蓋付きカップなる技術が開示されている。
【０００７】
上記発明は、飲用容器とは別に上記構成の漉し網を内蔵しているものであるので、その漉し網で茶葉を漉すことができ確実に茶葉を取り除き、お茶のみを飲用することができる。しかしながら漉し網がカップに占める割合が大きく茶葉がカップ内において十分に漂うことができず、茶葉の広がりが不十分で、風味を損なう恐れがある。また、テイクアウト用に提供されるカップは、合成樹脂でできたものが多く、またカップが薄く構成されているために上記のとおり熱湯を入れた場合には、顧客がやけどをする場合がある。この場合例えば発泡スチロールなどの断熱性を有するカップにすることも考えられるが、コストアップがみこまれる。
【０００８】
また、内容量を変更した場合においては、カップの大きさごとに、内蔵した漉し網を用意しなければならず極めて不利不便である。
【０００９】
【特許文献１】特開２００７−５０１８２号公報
【発明の開示】
【発明が解決しようとする課題】
【００１０】
本発明は前記の実情に鑑みてなされたもので、その課題は、カップ内における茶こしの占める割合をできる限り小さくするとともに、熱湯を入れた場合であっても、やけどしにくい容器に使用する蓋を提供することである。また、内容量を変更した場合であってもその蓋体を変更することなくその蓋を使用した飲用容器を提供することである。
【課題を解決するための手段】
【００１１】
本発明は、茶類を提供するための飲用容器用蓋体であって、前記蓋体の縁に環状の第１上方突出部を設け、前記第１上方突出部の裏側に２重のカップとそれぞれ嵌合することのできる第１嵌合部及び第２嵌合部を設け、前記第１上方突出部の内方に第２上方突出部を設け当該第２上方突出部の一部を下方突出部とし、前記下方突出部に少なくとも１つ以上の飲用孔を設けるという手段を講じたものである。
【００１２】
本発明は、２重のカップを配置することができる蓋体である。これは、カップを２つ使用しそれらを重ね合わせた状態で使用することができる。このように使用すればカップ内に熱湯を入れた場合において２重のカップを使用しているために、中の湯の熱が外部のカップに伝わりにくいものとなる。よって、やけどを防止することができる２重のカップを取り付けることができる蓋体である。従って発泡スチロールのカップを使用する必要が無くコストを増大させることもない。
【００１３】
また、蓋体において、円周状の縁に第１上方突出部を設け、前記第１上方突出部の裏側に２つのカップとそれぞれ嵌合することのできる第１嵌合部及び第２嵌合部を設けている。従って、第１上方突出部の裏側に、２つのコップを重ね合わせるように嵌合することができる。すなわち、後述するように、容器部の容量の大小２つのカップあるいは同じ容量のカップをその裏側に重ねるように固定することができる。従って、２つのカップのうち外側のカップはいずれも内側の大きさよりも大きいか同じ大きさのためにいずれも外形は変わらないものとなり、外観構成としては内側に大きいカップを使用した場合あるいは小さいカップを使用した場合においても変化がない。従って、仮に、カップホルダーにその蓋体つきのカップを載置した場合であっても、中身の容量の大小において外観構成が変わることが無いので、異なる大きさのカップホルダーを用意する必要が無い。
【００１４】
また、上記蓋体は、上方突出部を設け当該上方突出部の一部を下方突出部とし、前記下方突出部に少なくとも１つ以上の飲用孔を設けるという構成であるために、お茶を飲もうとする場合は、その茶葉の入った容器を傾けるが、その場合に茶葉が、第２上方突出部の裏側に溜り、飲用孔をふさぐ恐れが少ない。すなわち容器を逆さにするように傾けると、蓋体の裏側においては、第２上方突出部が下方突出部よりも低い位置に配置されているために、茶葉が、高い位置にある下方突出部から低い位置にある第２上方突出部に移動し、下方突出部に配置されている飲用孔を茶葉が塞ぐといった可能性は少なくなるというものである。従って、この構成が、飲用孔と相まって、事実上の茶漉しとしての機能を果たすものである。
【００１５】
本発明は、茶類を提供するための飲用容器用蓋体であって、第２上方突出部は環状であり、その内側に中央凹部を設けるという手段を講じたものである。このように第２上方突出部は、第１上方突出部の内側に設けられ、ほぼ平面視一定幅の環状を呈するものである。又、その前記第２上方突出部の内方に中央凹部を有するため、顧客がその下方突出部に配置されている飲用孔に口をつける際に上口唇が蓋体の中央凹部に位置するため、上唇と下唇で前記飲用孔を挟む状態となり、唇が蓋体における一定の位置に配置されるので、飲む際の姿勢がきわめて安定する。よって仮に歩きながら飲んだとしても、中の飲用物をこぼす虞が少ないものとなる。
【００１６】
本発明は、茶類を提供するための飲用容器用蓋体であって、飲用孔の径をおよそ２ミリメートルとするという手段を講じたものである。このように飲用孔をおよそ２ミリメートルとしたので拡がった茶葉がこの孔を通ることが少なく茶を飲用する際にその拡がった茶葉が口内に入る虞が無く違和感が生じることが無い。ここでおよそ２ミリメートルとしたのは、使用する茶葉がカップ内で広がった際にこの孔を通らない大きさがおよそ２ミリメートルであることからこの大きさにしたものである。もっとも、およそ２ミリメートルと云うときは、その径が２ミリメートルちょうどを意味するものではなく、例えば、孔開け加工の誤差を見込んだ、１．７ミリメートルから２．３ミリメートルの範囲内にあることを云う。従ってその範囲であれば、およそ２ミリメートルというものであり、拡がった茶葉がこの孔を通ることが少ない。
【００１７】
本発明は、上記蓋体に、２重のカップにおける第１のカップと第２のカップを取り付けた飲用容器であって、第１のカップと第２のカップはそれぞれ開口部と容器部と底部からなり前記第１のカップにおける容器部を内側に、前記第２のカップにおける容器部を外側にして重ね合わせ、前記第１嵌合部に前記第１のカップの開口部を、第２嵌合部に前記第２のカップの開口部をそれぞれ嵌合するという手段を講じたものである。
【００１８】
このように第１のカップと第２のカップの２重のカップの容器部を重ね合わせるようにしてそれぞれを同一に蓋体における第１上方突出部の裏側の第１嵌合部及び第２嵌合部にそれぞれ嵌合しているので、２つのカップを同一の蓋体に固定することができる。従って、内側のカップの中に熱湯を入れたとしてもその外側のカップにまでその熱が伝わりにくいためにやけどしにくく、熱いお茶をテイクアウトした場合であっても持ちやすいものとなる。
【００１９】
第１のカップと第２のカップの開口部の口径を同一とし、これらに上記飲用容器用蓋体を取り付けた飲用容器である。このように各カップの開口部の口径が同一であれば、容器部の容積にかかわらず、上記飲用容器用蓋体における第１嵌合部に第１のカップの開口部を、第２嵌合部に第２のカップの開口部をそれぞれ嵌合することができ、内側に配置された容器部の大きさ如何にかかわらず２つのカップを、上記飲用容器用蓋体に取り付けることができる。従って、内容量を変更した場合であってもその蓋体を変更することがない。なお、内側に配置されたカップにおける容器部の容積は外側に配置されているものよりも小または同一であることは云うまでもない。
【００２０】
本発明は、第１のカップと第２のカップはそれぞれ透明の合成樹脂で成形したことを特徴とする上記飲用容器用蓋体を取り付けた飲用カップである。このように、従来の透明の樹脂性のカップを使用すれば茶葉から、茶葉のエキスが抽出される状態を見ることができるので、熱湯を入れたカップ内の茶葉がゆっくりと広がり、茶葉からエキスが抽出される様子を鑑賞することができる。よって、お茶を味わうとともに、それを購入した顧客に癒しを与えることができる。
【発明の効果】
【００２１】
本発明は以上のように構成され、かつ、作用するものであるから、カップ内の茶こしの占める割合をできうる限り小さくするとともに、熱湯を入れた場合であっても、やけどしにくい容器に使用する蓋を提供することができる。また、内容量を変更した場合であってもその蓋体を変更することなくその蓋を使用した飲用容器を提供することできる。
【００２２】
以下図示の実施形態を参照して本発明をより詳細に説明する。図１は、本発明における蓋体と２つのカップを嵌合した飲用容器の斜視図である。図２は、蓋体の平面図である。図３は、蓋体と、第１のカップおよび第２のカップと蓋体を組み合わせた飲用容器の組み合わせ図であり、（イ）は蓋体。（ロ）、（ロ′）は第１のカップ、（ハ）は第２のカップの斜視図である。図４は、第１のカップの外側に第２のカップを重ね合わせ、それらに蓋体を取り付けた状態の飲用容器の断面図である。図５は、同じ大きさの第１のカップと第２のカップを重ね合わせそれらに蓋体を取り付けた状態の飲用容器の断面図である。図６は、蓋体にカップを取り付けた飲用容器を上下逆にした状態の概念図である。
【００２３】
蓋体１０上において、第１上方突出部１１が配置されている。第１上方突出部１１は、垂下部１２と頂部１３と後壁部１４とで構成され、断面視、底の浅い逆Ｕの字状を呈し蓋体１０の縁をほぼ環状に構成するものである。また、蓋体１０はシート状の合成樹脂によって成形されている。従って、蓋体１０の表面に凸状を呈するものは裏面においては凹状を呈し、ほぼ表裏一体の関係にある。
【００２４】
第１上方突出部１１における垂下部１２に第２嵌合部１５を配置している。第２嵌合部１５は、表面においては凹状を呈し、垂下部１２の周囲に一定の間隔をあけて複数配置している。従って、上記のとおり蓋体１０における垂下部１２の裏側においては、凸状を呈し、内部に突出した構成である。また、当該第２嵌合部１５は、後述する外側のカップ６０の開口部６１と嵌合する。
【００２５】
垂下部１２における第２嵌合部１５よりも上方に第１嵌合部１６を配置している。第１嵌合部１６は、表面においては凹状を呈し、垂下部１２を周回するように成形されている。従って、蓋体１０の裏においては、凸状を呈し、後述する内側のカップ５０の開口部５１あるいはカップ６０の開口部６１と嵌合する。
【００２６】
第１嵌合部１６は第２嵌合部１５よりも上部に位置する。すなわち、蓋体１０の断面視状態において、第２嵌合部１５よりも第１嵌合部１６は、頂部１３に近接して配置されている。
【００２７】
蓋体１０は外周から内周に向って、上記第１上方突出部１１の内方に、第２上方突出部２０を設けている。前記第２上方突出部２０は、外壁部２１、天上部２２、内壁部２３で構成され、平面視において、天上部２２を帯状として、蓋体１０上において周回する環状を呈している。尚、内方とは、蓋体の平面視において、外縁から中心に向かう方向を云う。
【００２８】
第２上方突出部２０の一部に、下方突出部３０が配置されている。下方突出部３０は第２上方突出部２０よりも下方に配置されているが、底部１８よりも上方に配置されている。従って、下方突出部３０は、第２上方突出部２０と底部１８の間に配置されている（図４、５参照）。また、下方突出部３０は、ほぼ平坦であり飲用孔３１が形成されている。飲用孔３１の径は、孔開け加工の誤差を見込んだ、１．７ミリメートルから２．３ミリメートルの範囲内にある、およそ２ミリメートルが好ましい。この大きさであれば茶葉が、その孔を通りにくいからである。又、飲用孔３１は、６個程度が好ましい。
【００２９】
また空気孔２５が、前記第２上方突出部２０における天上部２２に配置されている。これは、下方突出部３０から、ほぼ半周した位置に配置している。すなわち、下方突出部３０が図面手前側にあれば、空気孔２５は奥行き側に配置されている（図１参照）。
【００３０】
中央凹部４０は、蓋体１０において、第２上方突出部２０に取り囲まれた内部に配置され、曲率半径の異なる円弧で取り囲まれた形状を呈している（図２参照）。この中央凹部４０は、蓋体１０を、表面からみた場合に下方突出部３０よりも低い位置に配置されている（図４、５参照）。
【００３１】
中央凸部４５は、蓋体１０において、第２上方突出部２０と中央凹部４０に取り囲まれた内部に配置され、第２上方突出部２０における曲率半径の円弧と中央凹部４０における曲率半径の円弧で取り囲まれたほぼ三日月状を呈している（図２参照）。この中央凸部４５は、下方突出部３０と同様の高さではあるが、前記中央凹部４０よりも高い位置に配置されている。従って、第２上方突出部２０、中央凸部４５、中央凹部４０の順にその高さが低くなるように配置されている（図４、５参照）。このように蓋体１０の内方において、中央凸部４５および中央凹部４０のような段差を設けるのはその蓋体１０の剛性を確保するためであり、それゆえ、持ち運ぶ際にも変形し難いものであるばかりでなく飲用孔３１あるいは空気孔２５等を孔開け加工する際においても好ましい剛性を確保することができる。又、中央凹部４０および中央凸部４５を有することにより蓋体１０が、デザイン性にも秀でる形状であることは云うまでもない。
【００３２】
カップ５０については、開口部５１と容器部５２と底部５３で構成されており、容器部５２の容量はおよそ３００ｃｃである。容器部５２は底部５３から開口部５１にかけてほぼ拡径する構成であり、開口部５１は環状を呈し、底部５３はほぼ円形である。また、カップ５０において、容器部５２において、その容器部５２の外方に膨出した複数の中間段部５２ａを有する。また、開口部５１は外側に張り出した構成であり、第１上方突出部１１における第１嵌合部１６と着脱自在に嵌合する。また、底部５３に凹部５３ａを有する。なお、材質はポリプロピレンが好ましいがこれに限られることはない。
【００３３】
カップ６０についても、開口部６１と容器部６２と底部６３で構成されており、容器部６２の容量はおよそ３６０ｃｃである。従って、カップ６０はカップ５０に比べてその容量が大である。容器部６２は底部６３から開口部６１にかけてほぼ拡径する構成であり、開口部６１は環状を呈し、底部６３はほぼ円形である。また、カップ６０において、容器部６２において、その容器部６２の外方に膨出した複数の中間段部６２ａを有する。また、開口部５１は外側に張り出した構成であり、第１上方突出部１１における第２嵌合部１５と着脱自在に嵌合する。また、底部６３に凹部６３ａを有する。なお、材質はポリプロピレンが好ましいがこれに限られることはない。
【００３４】
顧客にいわゆるホットドリンクを提供する場合であって、顧客の要望である茶類の容量が小の場合、カップ５０をカップ６０の中に入れ重ね合わせる。このカップ５０に茶葉を入れ、その後湯を注ぐと茶葉がカップ内に拡がり、お茶を抽出することができる。このようにお茶を抽出する場合は熱湯を入れなければならないが、上記のとおりカップ５０をカップ６０の中に入れ重ね合わせているために、その湯の熱が外側のカップ６０に伝わりにくくやけどをする恐れを極力避けることができる。
【００３５】
カップをこの重ね合わせて２重にするために、内側のカップ５０及び外側の６０をともに蓋体１０と嵌合させ、飲用容器１００とする。内側のカップ５０の開口部５１は、蓋体１０における、第１嵌合部１６と嵌合する。また、外側のカップ６０における開口部６１は、蓋体１０における、第２嵌合部１５と嵌合する。また、容量が大の場合、内側のカップ６０及び外側の６０をともに蓋体１０と嵌合させ、飲用容器１００′とする。内側のカップ６０の開口部６１は、蓋体１０における、第１嵌合部１６と嵌合する。また、外側のカップ６０における開口部６１は、蓋体１０における、第２嵌合部１５と嵌合する。すなわち図３において蓋体１０とカップ５０及びカップ６０の組み合わせが、飲用容器１００であり図３における（イ）、（ロ）、（ハ）の組み合わせである。すなわち第１のカップをカップ５０とし、第２のカップをカップ６０として蓋体１０を組み合わせたものである。また、蓋体１０と同一の大きさのカップ６０及びカップ６０の組み合わせが、飲用容器１００′であり、図３における（イ）、（ロ′）、（ハ）の組み合わせである。すなわち、第１のカップをカップ６０とし、第２のカップについてもカップ６０として蓋体１０を組み合わせたものである。このとき、カップ５０における開口部５１と、カップ６０における開口部６１について、容器部の容量は上記のとおり異なるものの、開口部５１と開口部６１の径は同一であり、また、カップ５０における底部５３がカップ６０における底部６３よりも若干上方に位置するので、カップ５０がカップ６０より上方に位置した状態で、それぞれ第１嵌合部１６および第２嵌合部１５と嵌合する（図４参照）。
【００３６】
また、図４において、内側のカップ５０の開口部５１は蓋体１０における第１上方突出部１１における第１嵌合部１６と嵌合することで固定され、外側のカップ６０の開口部６１は蓋体１０における第１上方突出部１１における第２嵌合部１５と嵌合することで固定され、カップ５０とカップ６０は互いに接しない構成であり、蓋体１０にカップ５０とカップ６０はつり下げられた構成である。尚、図５において、内側のカップ６０の開口部６１は蓋体１０における第１上方突出部１１における第１嵌合部１６と嵌合することで固定され、外側のカップ６０の開口部６１は蓋体１０における第１上方突出部１１における第２嵌合部１５と嵌合することで固定されるが、内側のカップ６０と外側のカップ６０は互いにその容器部６２、６２同士が接するものであり、その接する部分と、蓋体１０にカップ６０とカップ６はつり下げられていることで、配置固定されている。
【００３７】
次に、顧客にいわゆるホットドリンクを提供する場合であって、顧客の要望である茶類の容量が大の場合、同じ大きさのカップ６０同士を重ね合わせる。すなわち、内側の第１のカップ６０を外側の第２のカップ６０の中に入れ重ね合わせる。この内側のカップ６０に茶葉を入れ、その後湯を注ぐと茶葉がカップ内に拡がり、お茶を抽出することができる。このようにお茶を抽出する場合は熱湯を入れなければならないが、上記のとおりカップ６０をカップ６０の中に入れ重ね合わせているために、その湯の熱が外側のカップ６０に伝わりにくくやけどをする恐れを極力避けることができる（図５参照）。尚、第１のカップと云うときは内側に配置されたにカップをいい、第２のカップと云うときは外側に配置されたにカップをいう。従って、第１のカップはカップ５０あるいは６０であり、第２のカップは、いずれの場合もカップ６０である（図４、５参照）。
【００３８】
上記のとおり、顧客の要望である茶類の容量が小の場合、カップ５０における開口部５１が第１嵌合部１６と嵌合し、その外側に配置されたカップ６０の開口部６１が第２嵌合部１５と嵌合するが、第１嵌合部１６と第２嵌合部１５はともに、第１上方突出部１１に配置されている。また、顧客の要望である茶類の容量が大の場合、カップ６０における開口部６１が第１嵌合部１６と嵌合し、その外側に配置されたカップ６０の開口部６１が第２嵌合部１５と嵌合するが、第１嵌合部１６と第２嵌合部１５はともに、第１上方突出部１１に配置されている。従って、いずれの場合の外側に嵌合されているカップはいずれも大きな容量のカップ６０であり、外観において、顧客が使用している内側のカップが小のカップ５０を使用しているのか、あるいは大のカップ６０を使用しているのか区別できない。従って、例えばカップホルダーに載置した場合であっても、カップの大きさ別にカップホルダーを用意する必要が無い。また第三者からそのカップを使用している顧客を見た場合に、どのような容量の茶類を飲用しているのかわからない。従って女性が大きめのカップ６０を使用していた場合であっても、第三者をして、その顧客がどのような容量の茶類を飲用しているのかわからないという利点がある。
【００３９】
この、カップを使用してお茶等を飲用する場合は蓋体１０つきのカップを傾けることになるが、従来の蓋体では、飲用孔を、拡がった茶葉が塞いでしまう。しかし本発明における蓋体１０であれば、その拡がった茶葉が、カップを傾けることによって、第２上方突出部２０の一部配置されている下方突出部３０における引用孔を塞ごうとするが、その下方突出部３０よりも第２上方突出部２０が低い位置にあるために、広がった茶葉が、飲用孔３１が配置されている第２上方突出部２０から、下方突出部３０に移動するために、当該茶葉が飲用孔３１をふさぐ恐れが少ない。尚、図６において蓋体は表裏一体の関係にあるために蓋体１０における表面の図２と裏面の図６とは同じ符号を用いている。従って図６における蓋体１０の裏側において、中央凹部４０は凸状を呈し、中央凸部４５はその突出量が前記中央凹部４０よりも少ないものである。
【００４０】
すなわち、上述のとおり蓋体１０の表面に凸状を呈するものは裏面においては凹状を呈し、表裏一体の関係にある。従って、蓋体１０つきのカップ５０、６０を傾けない場合においては第２上方突出部２０のほうが下方突出部３０よりも上方に位置しているが、蓋体１０つきのカップ５０、６０を傾けると当該蓋体１０が裏返った状態となり、下方突出部３０よりも第２上方突出部２０が低い位置にあるために、カップの中で広がった茶葉Ｓ、Ｓ・・・が、飲用孔３１が配置されている下方突出部３０から、第２上方突出部２０に移動するものである。従ってその茶葉Ｓが飲用孔３１をふさぐ可能性が低いものとなる。又、飲用孔３１の径がおよそ２ミリメートルなので茶葉Ｓを通しにくいものとなるので茶漉しとしての機能を果たすものとなる。尚、図６は、２点鎖線でカップ５０、６０を示している。
【００４１】
また上記蓋体１０における第１上方突出部１１における第１嵌合部１６に、カップ５０あるいは６０をのみを配置することもできる。すなわち、室温または冷やした茶類の場合は顧客の要望に応じてカップ５０あるいはカップ６０を選択し、そのカップを２重にしない場合も蓋体１０を使用することができる。
【図面の簡単な説明】
【００４２】
【図１】本発明における蓋体と２つのカップを嵌合した飲用容器の斜視図。
【図２】蓋体の平面図。
【図３】蓋体と、第１のカップおよび第２のカップと蓋体を組み合わせた飲用容器の組み合わせ図であり、（イ）は蓋体。（ロ）、（ロ′）は第１のカップ、（ハ）は第２のカップの斜視図。
【図４】第１のカップの外側に第２のカップを重ね合わせ、それらに蓋体を取り付けた状態の飲用容器の断面図。
【図５】同じ大きさの第１のカップと第２のカップを重ね合わせそれらに蓋体を取り付けた状態の飲用容器の断面図。
【図６】蓋体にカップを取り付けた飲用容器を上下逆にした状態の概念図。
【符号の説明】
【００４３】
１０、蓋体
１１、第１上方突出部
１２、垂下部
１３、頂部
１４、後壁部
１５、第２嵌合部
１６、第１嵌合部
２０、第２上方突出部
２５、空気孔
３０、下方突出部
３１、飲用孔
５０、カップ
５１、開口部
５２、容器部
５３、底部
６０、カップ
６１、開口部
６２、容器部
６３、底部
１００、飲用容器
１００′、飲用容器
【図１】
2015058950.tif 000003
【図２】
2015058950.tif 000004
【図３】
2015058950.tif 000005
【図４】
2015058950.tif 000006
【図５】
2015058950.tif 000007
【図６】
2015058950.tif 000008